(57)【特許請求の範囲】
【請求項１】
カード挿入口兼返却口と、
このカード挿入口兼返却口に連通されたカード収納部と、
このカード収納部内のカードのデータの処理を行うカードリーダとを備え、
前記カード収納部を上下方向に延在するように設けた非接触型ＩＣカード処理装置において、
前記カード収納部の下端にカードを支承し、かつカードを昇降させるカード昇降手段を設け、
このカード昇降手段を、ソレノイドの作動によって基端部を揺動中心として先端が揺動する第１のレバーと、
この第１のレバーの先端が対接し第１のレバーが揺動することによって基端部を揺動中心として先端が揺動しこの先端によってカードを昇降させる第２のレバーとによって構成し、前記第２のレバーの前記第１のレバーが対接する部位に、第２のレバーよりも摩擦係数の高い部材を設けたことを特徴とする非接触型ＩＣカード処理装置。
【請求項２】
請求項１記載の非接触型ＩＣカード処理装置において、
前記第２のレバーの揺動中心に巻回され、一端に設けた腕がストッパに係止されるとともに他端に設けた腕が第２のレバーに係合するねじりコイルばねを設けたことを特徴とする非接触型ＩＣカード処理装置。
【発明の詳細な説明】
【０００１】
【発明の属する技術分野】
本発明は、カード収納部の下端に、カードを支承するとともにカードを昇降させる昇降手段を設けた非接触型ＩＣカード処理装置に関する。
【０００２】
【従来の技術】
一般に、この種の非接触型ＩＣカード処理装置においては、データ処理中のカードが、カード収納部から抜き取られないようにするために、データ処理中は、カードの上端がカード挿入口の下方に位置付けられ、手によってカードを摘めないようにしている。一方、データ処理が終了したらカードを手によって摘めるようにするために、カードを上昇させカードの上部をカード挿入口から露呈させる昇降手段が設けられている。この種の昇降手段は、電磁ソレノイドと、この電磁ソレノイドの作動によって基端部を揺動中心として先端が揺動するレバーとによって構成され、レバーが揺動することによって先端がカードを昇降させるように構成されている。
【０００３】
【発明が解決しようとする課題】
しかしながら、上述した従来の非接触型ＩＣカード処理装置の昇降手段においては、単に電磁ソレノイドの作動によってレバーを揺動させる構造であるために、電磁ソレノイドのプランジャーの移動量が小さいと、カードを所定量上昇させることができない。このため、カードを確実に利用者に返却するのには、電磁ソレノイドを大型化する必要があり、装置が大型化するという問題があった。また、レバーの回動端限において、加速したレバーによってカードが跳ね上げられ、この結果カードがカード収納部内で傾いたり、カード挿入口から飛び出して装置から落下したりして、使い勝手が悪いという問題もあった。
【０００４】
本発明は上記した従来の問題に鑑みなされたものであり、第１の目的は装置の小型化を図ることにある。また、第２の目的は使い勝手の向上を図ることにある。
【０００５】
【課題を解決するための手段】
この目的を達成するために、請求項１記載の発明は、カード挿入口兼返却口と、このカード挿入口兼返却口に連通されたカード収納部と、このカード収納部内のカードのデータの処理を行うカードリーダとを備え、前記カード収納部を上下方向に延在するように設けた非接触型ＩＣカード処理装置において、前記カード収納部の下端にカードを支承し、かつカードを昇降させる昇降手段を設け、この昇降手段を、ソレノイドの作動によって基端部を揺動中心として先端が揺動する第１のレバーと、この第１のレバーの先端が対接し第１のレバーが揺動することによって基端部を揺動中心として先端が揺動しこの先端によってカードを昇降させる第２のレバーとによって構成し、前記第２のレバーの前記第１のレバーが対接する部位に、第２のレバーよりも摩擦係数の高い部材を設けたものである。
したがって、第２のレバーがてことなって第１のレバーの揺動量が増幅される。また、第２のレバーの揺動に制動が加わる。
【０００６】
また、請求項２記載の発明は、請求項１記載の発明において、前記第２のレバーの揺動中心に巻回され、一端に設けた腕がストッパに係止されるとともに他端に設けた腕が第２のレバーに係合するねじりコイルばねを設けたものである。
したがって、第２のレバーの揺動量に比例してねじりコイルばねのねじりモーメントが発生する。
【０００７】
【発明の実施の形態】
以下、本発明の一実施例を図に基づいて説明する。図１は本発明に係る非接触型ＩＣカード処理装置を示し、（ａ）は一部を破断して示す平面図、（ｂ）は正面図、図２は同じくカバーを開いた状態を示す本体の斜視図、図３は装置が付設される筺体の裏面側から視た分解斜視図で、カードリーダを取り付ける状態を示す。図４は図１（ｂ）におけるＩＶ−ＩＶ  線断面図、図５は同じくカード収納部を開放した状態を示す側面図、図６はデータ処理中のカードの収納状態を示した要部の正面図、図７はカードを返却する状態を示した要部の正面図である。
【０００８】
図１において、全体を符号１で示す非接触型ＩＣカード処理装置には、この装置が付設される筺体２の前面板を挟んで表面側に設けられた本体３と、裏面側に設けられたカードリーダ４とが備えられている。図２において、本体３は、共に合成樹脂によって形成された対向部材としての固定部材５とカバー６とによって構成され、カバー６は固定部材５の両側部の下部に突設されたダボ７を揺動中心として、固定部材５に対して開閉自在に支持されている。
【０００９】
固定部材５は、略浅皿状に形成され、正面板の表面の上部には一対の対向するガイド板１０，１０が立設され、これらガイド板１０，１０に挟まれた部位がカード収納面１１を形成している。このカード収納面１１の下部側には、断面が略円弧状の凹部１２が形成され、この凹部１２の一端側の下方には、矩形状の窓１３が穿設され、カード収納面１１の上端には、凸条体１４が左右方向に延在するように突設されている。また、固定部材５の両側部の上下には、二対の固定片１５が裏面側に立設され、これら固定片１５には嵌合孔１６が穿設されている。
【００１０】
カバー６は断面コ字状に形成され、両側部の上部には、一対の対向する係合片１８，１８が立設され、これら係合片１８，１８には、係合凹部１９，１９が設けられている。このカバー６は上下端が共に開口し、上方の開口２０は正面視略円弧状に形成され、カード挿入口兼返却口を形成し、図４に示す下方の開口２１が水抜き口を形成している。また、カバー６の裏面側には、カード挿入口兼返却口２０から下方に延在する三条のガイドリブ２２が立設され、これらガイドリブ２２は上述した固定部材５のカード収納面１１に対応するように位置付けられ、上部２２ａが傾斜するようにして形成されている。図４に示すように、このカバー６を固定部材５に対して閉じた状態とすると、カード収納面１１とガイドリブ２２が間隔ｌだけ隔てて対向し、一対のガイド板１０，１０とともに、カード収納部２３を形成するように構成されている。このカード収納部２３の間隔ｌは、カードＰの略３枚宛の厚さに形成されている。
【００１１】
図３において、筺体２は金属によって形成され、矩形状の開口２５が穿設され、この開口２５の両側端の下部には、一対の対向する支承片２６，２６が裏面側に折曲形成され、これら支持片２６，２６には、上方が開口した支持溝２７，２７が設けられている。この開口２５の両側端の上下には、二対の固定片２８，２８が裏面側に折曲形成され、これら固定片２８には嵌合孔２９が穿設されている。この開口２５の上端の中央には、側面視逆Ｌ字状の固定片３０が裏面側に折曲形成され、この固定片３０の垂直部３０ａにはねじ孔３１が設けられている。
【００１２】
３２はホルダであって、合成樹脂によって略浅皿状に形成され、正面板の裏面にはカードリーダ４が固定され、両側面板の下部側の外面には、一対のダボ３３，３３が突設されている。ホルダ３２の両側面板の上部側には、正面板から立設された一対の対向する弾性係合片３４，３４が設けられ、これら弾性係合片３４，３４の外面には、係合突起３５，３５がそれぞれ突設されている。ホルダ３２の上面板の中央には、側面視Ｌ字状の固定片３６が裏面側に突設され、この固定片３６には挿通孔３７が穿設されている。
【００１３】
このホルダ３２のダボ３３が筺体２の支持片２６の支持溝２７に支持され、固定片３６の挿通孔３７に挿通されたねじ３８が、筺体２の固定片３０のねじ孔３１に螺合されることにより、このホルダ３２は、カードリーダ４が開口２５に対応するようにして筺体２の裏面側に固定される。上述した本体２の固定部材５の固定片１５は、筺体２の開口２５の両側端から裏面側に係入され、筺体２の固定片２８に対接され、これら両固定片１５，２８の嵌合孔１６，２９に合成樹脂製のリベット３９が嵌合されることにより、固定部材５は筺体２の表面側に固定される。
【００１４】
ダボ７を回転中心としてカバー６を図５中時計方向に回動させ、カバー６の係合片１８を筺体２の開口２５の両側端から裏面側に係入させ、ホルダ３２の弾性係合片３４を弾性変形させながら係合突起３５に係合させることにより、カバー６が筺体２の表面側に固定される。このとき、図４に示すように、カバー６によって固定部材５のカード収納面１１が覆われ、上述したように、固定部材５のガイド板１０，１０と共にカード収納部２３が形成される。
【００１５】
次に、図４および図６に基づいてカード昇降手段４０について説明する。
図４に示すように、カード昇降手段４０は、固定部材５の底面板に固定されたブラケット４１を介して、固定部材５の裏面側の下部に取り付けられている。図６に示すように、カード昇降手段４０は、駆動手段としての電磁ソレノイド４２と、この電磁ソレノイド４２によって直接揺動させられる第１のレバー４３と、この第１のレバー４３によって揺動させられる第２のレバー４４とによって概ね構成されている。
【００１６】
電磁ソレノイド４２は、ブラケット４１の底面部に固定され、進退自在なプランジャー４５が備えられている。第１のレバー４３は、ブラケット４１の側面部に植設された軸４６を揺動中心として揺動自在に支持され、基端部に第１のレバー４３と直交する方向に係合部４７が突設され、この係合部４７がプランジャー４５に係合している。第１のレバー４３の先端部および中央部の上側には、係合突起４８，４９がそれぞれ設けられている。
【００１７】
第２のレバー４４は、電磁ソレノイド４２を挟んで反対側において、ブラケット４１の側面部に植設された軸５０を揺動中心として揺動自在に支持され、第１のレバー４３と相対向するように、第１のレバー４３の係合突起４８，４９に載置されている。この第２のレバー４４の先端には、係合部５１が設けられ、中央部の下側には、この第２のレバー４４よりも摩擦係数の高いゴムによって形成された制動部材５２が設けられおり、この制動部材５２は係合部５１側の端部の下側に突部５２ａが形成されている。
【００１８】
第２のレバー４４の係合部５１は、図２に示すように、上述した固定部材５の窓１３から固定部材５の表面側に突出するようにして位置付けられている。また、後述するように電磁ソレノイド４２が作動し、この係合部５１が上昇すると、この係合部５１は、カード収納部２３の凹部１２の直下に位置付けられる。さらに、電磁ソレノイド４２が作動せずに、係合部５１が下降した状態においては、図１（ａ）に示すように、この係合部５１とカード挿入口兼返却口２０までの間隔Ｈが、カードＰの全長ｈよりもやや大きく形成されるように位置付けられている。
【００１９】
図１（ｂ）において、カード収納部２３の上部側の一方の側部には、センサ５５が設けられ、このセンサ５５はカード収納部２３からカードＰが抜き取られたことを検出するセンサである。カード収納部２３の下端部の一方の側部には、センサ５６が設けられ、このセンサ５６はカード収納部２３にカードＰが収納されたことを検出するセンサである。カード昇降手段４０の軸５０の近傍には、センサ５７が設けられ、このセンサ５７は第２のレバー４４の基端部に一体に突設された被検出部４４ａを検出するものであって、第２のレバー４４の係合部５１が上昇しカードＰを返却可能な状態としたことを検出する。
【００２０】
次に、このような構成の処理装置のカードの処理動作を説明する。
図１（ｂ）において、カード挿入口兼返却口２０からカードＰを挿入すると、挿入されたカードＰは、一対のガイド板１０，１０に案内され自重により落下し、図中実線で示す第２のレバー４４の係合部５１によって下端が支承され、落下が停止するとともに、カード収納部２３に収納される。収納されたカードＰは、センサ５６によって検出されるので、カードリーダ４によってデータの処理が行われる。この状態において、カードＰの上端は、カード収納口兼返却口２０から露呈していないので、データ処理中にカードＰが抜き取られるようなことはなく、このため、強制終了によって次にカードの使用ができなくなるようなことがない。
【００２１】
データの処理が終了すると、電磁ソレノイド４２が作動し、図７に示すように、プランジャー４５が後退すると、係合部４７を介して第１のレバー４３が軸４６を回動中心として図中反時計方向に回動する。したがって、係合突起４８を介して第２のレバー４４が軸５０を回動中心として図中時計方向に回動するので、係合部５１が上昇し、カードＰを上昇させるので、カードＰの上端部がカード挿入口兼返却口２０から露呈する。このとき、第１のレバー４３の係合突起４８が第２のレバー４４の制動部材５２に対接しているので、第１のレバー４３の回動力は、この制動部材５２を介することにより、緩衝させられながら伝達される。
【００２２】
このため、第２のレバー４４の回動速度は減速させられ、かつ突部５２ａに係合突起４８が係合することにより、第１のレバー４３の揺動が確実に停止されるので、係合部５１によって上昇させられるカードＰも減速しながら上昇して停止する。したがって、上昇したカードＰがカード収納部２３内で傾いたり、カード挿入口兼カード返却口２０から飛び出し、処理装置１から落下するようなことがない。また、第２のレバー４４がてことなり、第１のレバー４３の回動量をこの第２のレバー４４によって増幅させる構造としたことにより、カードＰを所定量上昇させるのに、電磁ソレノイド４２のプランジャー４５の進退量を小さくさせることができる。したがって、電磁ソレノイド４２を小型にすることができ、このため処理装置１を小型化することができる。
【００２３】
図４に示すように、係合部５１によって上昇させられ、カード挿入口兼返却口２０から上部が露呈したカードＰの下端は、凹部１２に位置することにより、自重によりカードＰの上端側が図中反時計方向、すなわち利用者側である処理装置１の正面側に倒れ込む。このように、カードＰの上端が、角度αだけ倒れ込むことにより、カードＰの上端と筐体２の表面との間の間隔Ｌが大きくなるので、この間に指先を差し入れ易くなり、このためカードＰの抜き取りが容易になり、サービスの向上が図られる。
【００２４】
図１（ｂ）に示すように、電磁ソレノイド４２が作動し、第２のレバー４４が図中時計方向に回動したことは、被検出部４４ａがセンサ５７から外れることにより検出される。また、カードＰがカード挿入口兼返却口２０から抜き取られると、センサ５５によって検出されるので、カード収納部２３にカードＰがないことが確認されるので、電磁ソレノイド４２が非作動状態になる。したがって、プランジャー４５が前進し、第１のレバー４３が軸４６を回動中心として図中時計方向に回動するので、第２のレバー４４が軸５０を回動中心として図中反時計方向に回動し初期状態に戻る。
【００２５】
ここで、カード挿入口兼返却口２０から異物がカード収納部２２に挿入され滞留した場合には、管理者が筐体２を開き、筐体２内において、図１（ａ）に示すように、ホルダ３２の弾性係合片３４を図中二点鎖線で示すように互いに近接する方向に弾性変形させる。したがって、弾性係合片３４とカバー６の係合片１８の係合凹部１９との係合が解除されるので、図５に示すように、カバー６をダボ７を回動中心として図中反時計方向に回動させることにより、カード収納部２３が開放される。このため、カード収納部２３内に滞留している異物を容易に取り除くことができるので、保守点検が容易である。
【００２６】
しかも、カード収納部２３を開放するために、弾性係合片３４とカバー６の係合片１８の係合凹部１９との係合が解除する作業を筐体２内において行うようにしたので、第三者によって故意に開放されるようなことがなく、いたずらを防止することができる。また、図４に示すように、カード収納部２３の下方に開口２１を設けたことにより、カード挿入口兼返却口２０から雨水や塵埃が侵入しても、この開口２１から処理装置１の外部に流出される。したがって、カード収納部２３に収納されたカードＰに雨水や塵埃が付着するようなことがない。
【００２７】
図８は本発明に係る非接触型ＩＣカード処理装置において、カード昇降手段の第２の実施の形態を示し、（ａ）はカードを上昇させる前の状態を示し、（ｂ）はカードを上昇させた状態を示す。なお、同図においては、上述した第１の実施の形態で説明したブラケット４１や電磁ソレノイド４２等は図示を省略している。
この第２の実施の形態においては、第１の実施の形態の制動部材５２の替わりに、軸５０に巻回されたねじりコイルばね６０が設けられている。このねじりコイルばね６０の一端に設けた腕６１は直角に折曲され、その先端部は図中紙面奥方に折曲げられて折曲部６１ａが形成され、この折曲部６１ａは第２のレバー４４と間隔δだけ離間して位置付けられている。一方、ねじりコイルばね６０の他端に設けた腕６２は、図示を省略したブラケットに植設されたストッパ６３に係合している。
【００２８】
このような構成において、図示を省略した電磁ソレノイドが作動し、同図（ｂ）に示すように、第１のレバー４３が軸４６を回動中心として図中反時計方向に回動すると、第２のレバー４４が係合突起４８を介して軸５０を回動中心として図中時計方向に回動する。このとき、ねじりコイルばね６０の折曲部６１ａが第２のレバー４４に係合し、第２のレバー４４の回動角度が大きくなるにしたがって、ねじりコイルばね６０の第２のレバー４４を反時計方向に戻すねじりモーメントも大きくなる。したがって、第２のレバー４４の回動は減速させられ、係合部５１によって上昇させられるカードも減速しながら上昇して停止する。
【００２９】
【発明の効果】
以上説明したように、請求項１記載の発明によれば、ソレノイドを小型することができ、このため装置の小型化が図られる。
【００３０】
また、請求項２記載の発明によれば、昇降手段によって上昇したカードがカード収納部内で傾いたり、カード挿入口兼カード返却口から飛び出し、処理装置から落下するようなことがないので、使い勝手が向上する。
【００３１】
また、請求項３記載の発明によれば、昇降手段によって上昇したカードがカード収納部内で傾いたり、カード挿入口兼カード返却口から飛び出し、処理装置から落下するようなことがないので、使い勝手が向上する。
【図面の簡単な説明】
【図１】本発明に係る非接触型ＩＣカード処理装置を示し、（ａ）は一部を破断して示す平面図、（ｂ）は正面図である。
【図２】本発明に係る非接触型ＩＣカード処理装置におけるカバーを開いた状態を示す本体の斜視図である。
【図３】本発明に係る非接触型ＩＣカード処理装置において、装置が付設される筺体の裏面側から視た分解斜視図で、カードリーダを取り付ける状態を示す。
【図４】図１（ｂ）におけるＩＶ−ＩＶ  線断面図である。
【図５】本発明に係る非接触型ＩＣカード処理装置において、カバーを開いた状態を示す側面図である。
【図６】本発明に係る非接触型ＩＣカード処理装置において、データ処理中のカードの収納状態を示した要部の正面図である。
【図７】本発明に係る非接触型ＩＣカード処理装置において、カードを返却する状態を示した要部の正面図である。
【図８】本発明に係る非接触型ＩＣカード処理装置において、カード昇降手段の第２の実施の形態を示し、（ａ）はカードを上昇させる前の状態を示し、（ｂ）はカードを上昇させた状態を示す。
【符号の説明】
１…非接触型ＩＣカード処理装置、２…筐体、３…本体、４…カードリーダ、５…固定部材、６…カバー、２０…カード収納口兼返却口、２３…カード収納部、４０…カード上昇手段、４２…電磁ソレノイド、４３…第１のレバー、４４…第２のレバー、４８…係合突起、５１…係合部、５２…制動部材、６０…ねじりコイルばね、６１，６２…腕、６１ａ…折曲部、Ｐ…非接触型ＩＣカード。
【図１】
0003567213.tif 000002
【図２】
0003567213.tif 000003
【図３】
0003567213.tif 000004
【図４】
0003567213.tif 000005
【図５】
0003567213.tif 000006
【図６】
0003567213.tif 000007
【図７】
0003567213.tif 000008
【図８】
0003567213.tif 000009